(57)【特許請求の範囲】
【請求項１】
ＯＣＴシステムであって、ＯＣＴスキャンビームを有する網膜スキャニング用のＯＣＴスキャンモジュールを備え、システムは前部セグメントスキャンモジュールを更に備え、前記前部セグメントスキャンモジュールは、ＯＣＴシステムの網膜スキャニング機能と前部セグメントスキャニング機能との間で切換えるように網膜スキャニング用の前記ＯＣＴスキャンモジュールの外部に取付けられ、
前記前部セグメントスキャンモジュールは、
前記ＯＣＴスキャンビームを検査中の眼の前部セグメント内で合焦させる少なくとも１つの前部セグメントスキャンレンズと、
前部セグメントスキャニング中に前記眼の観察方向を維持する固定ターゲットと
を備える、ＯＣＴシステム。
【請求項２】
アドオン前部セグメントスキャンモジュールは、網膜スキャニング用の前記ＯＣＴスキャンモジュールの外部に直接取付けることができる独立型分離可能モジュールであることを特徴とする、請求項１に記載のＯＣＴシステム。
【請求項３】
前記前部セグメントスキャンレンズと前記固定ターゲットとの間の距離は調整可能であることを特徴とする、請求項１に記載のＯＣＴシステム。
【請求項４】
前記前部セグメントスキャンレンズと前記固定ターゲットとの間の距離の調整は電気的に又は手作業で行うことができることを特徴とする、請求項３に記載のＯＣＴシステム。
【請求項５】
前記前部セグメントスキャンレンズは、少なくとも１つのシングレット又はダブレットを含むことを特徴とする、請求項１に記載のＯＣＴシステム。
【請求項６】
前記前部セグメントスキャンレンズは、２つの個々のシングレットを含むことを特徴とする、請求項１に記載のＯＣＴシステム。
【請求項７】
前記固定ターゲットの横（すなわち、水平及び垂直）位置は調整可能であることを特徴とする、請求項１に記載のＯＣＴシステム。
【請求項８】
前記固定ターゲットの横（すなわち、水平及び垂直）位置の調整は、電気的に又は手作業で行うことができることを特徴とする、請求項７に記載のＯＣＴシステム。
【請求項９】
前記固定ターゲットは、ＯＣＴスキャニングビーム経路に沿って配置されることを特徴とする、請求項１に記載のＯＣＴシステム。
【請求項１０】
前記固定ターゲットは、中心エリアの周囲にわたって均等に分配された複数の放射状線であることを特徴とする、請求項１に記載のＯＣＴシステム。
【請求項１１】
前記固定ターゲットは、前記ＯＣＴスキャンビームが通過することを可能にする透明エリアを有することを特徴とする、請求項９に記載のＯＣＴシステム。
【請求項１２】
前記固定ターゲットの中心エリアは透明であることを特徴とする、請求項１１に記載のＯＣＴシステム。
【請求項１３】
前記前部セグメントスキャンモジュールはビームスプリッタを更に含み、前記固定ターゲットは、ＯＣＴスキャンビーム経路の外部に配置され、前記ビームスプリッタを介して前記ＯＣＴスキャンビーム経路に結合されることを特徴とする、請求項１に記載のＯＣＴシステム。
【請求項１４】
前記固定ターゲットの中心エリアは、複数のパターンを有することを特徴とする、請求項１３に記載のＯＣＴシステム。
【請求項１５】
前記パターンは複数の中実ドットを含むことを特徴とする、請求項１４に記載のＯＣＴシステム。
【請求項１６】
前記ビームスプリッタは、ビームスプリッタキューブ、ビームスプリッタプレート、又はビームスプリッタペリクルのうちの１つであることを特徴とする、請求項１３に記載のＯＣＴシステム。
【請求項１７】
前記固定ターゲットは、前記固定ターゲットの平面内のディスプレイによって実現され生成されることを特徴とする、請求項１又は請求項１３に記載のＯＣＴシステム。
【請求項１８】
前記固定ターゲットは、透明基材上に配置されることを特徴とする、請求項１又は請求項１３に記載のＯＣＴシステム。
【請求項１９】
前記固定ターゲットは、検査中の眼に前記固定ターゲットが見えるように光源によって照明されることを特徴とする、請求項１又は請求項１３に記載のＯＣＴシステム。
【請求項２０】
前記固定ターゲットは、検査中の眼に前記固定ターゲットが見えるように自身で照明することを特徴とする、請求項１又は請求項１３に記載のＯＣＴシステム。
【請求項２１】
前記固定ターゲットは、蛍光塗料によって基材上に配置されることを特徴とする、請求項２０に記載のＯＣＴシステム。
【請求項２２】
前記固定ターゲットは、平坦表面、湾曲表面、又は非球面表面のうちの１つの表面上に配置されることを特徴とする、請求項１又は請求項１３に記載のＯＣＴシステム。
【請求項２３】
前記固定ターゲットは外部に設けられ得ることを特徴とする、請求項１３に記載のＯＣＴシステム。
【発明の詳細な説明】
【技術分野】
【０００１】
本発明は光学医療分野に関し、より詳細には、光コヒーレンストモグラフィ（ＯＣＴ：ｏｐｔｉｃａｌ  ｃｏｈｅｒｅｎｃｅ  ｔｏｍｏｇｒａｐｈｙ）システムに関する。
【背景技術】
【０００２】
ＯＣＴは、ＯＣＴビームに沿う試料の散乱プロファイルを確定する干渉測定法である。ＯＣＴシステムは、時間領域（ＴＤ−ＯＣＴ）又は周波数領域（ＦＤ−ＯＣＴ）で動作することができる。ＦＤ−ＯＣＴ技法は、ＴＤ−ＯＣＴと比較して、速度及び信号対雑音比において有意の利点を有する。ＦＤ−ＯＣＴにおけるスペクトル情報弁別は、通常、スペクトル領域ＯＣＴ（ＳＤ（ｓｐｅｃｔｒａｌ−ｄｏｍａｉｎ）−ＯＣＴ）の場合、検出アーム内で分散型分光計を使用することによって、又は、掃引光源ＯＣＴ（ＳＳ（ｓｗｅｐｔ−ｓｏｕｒｃｅ）−ＯＣＴ）の場合、掃引式レーザ光源を高速にスキャンすることによって達成される。
【０００３】
ＯＣＴシステムは、患者の網膜をスキャンして医療診断を実施するため、従来技術で使用されてきた。図１は、従来技術における眼の網膜をスキャンするためのＯＣＴスキャンモジュールの一実施形態を示し、図１で示すＯＣＴスキャンモジュールは、ファイバ１、コリメータレンズ２、Ｘ／Ｙスキャンユニット３、網膜スキャンレンズ４、接眼レンズ５、ビームスプリッタ７、内部固定レンズ８、及び内部固定ターゲット９を備える。図１の実線ビーム経路は、ＯＣＴスキャンビーム経路を示し、ビームは、検査中の患者の眼６の網膜に合焦されて、眼６をスキャンする。ビームは、短い時間的コヒーレンス長を有する高帯域光源又は掃引式レーザ光源を含む種々の光源のうちの任意の１つの光源から生じ、ファイバ１を介してＯＣＴシステム内に導入可能である。図１の破線ビーム経路は固定ビーム経路を示し、内部固定ターゲット９は、内部固定レンズ８及びビームスプリッタ７を介してＯＣＴスキャンビーム経路に結合され、その後、接眼レンズ５を介して検査中の眼６の網膜上に結像されて、網膜スキャニング中における検査中の眼６の観察方向を規定する。試料から散乱する光は、通常、照明のため光をルーティングするために使用される同じファイバ１の中に収集される。収集された試料光は、参照光（図示せず）と結合されて、検出器（図示せず）内で光干渉を形成する。検出器の出力はプロセッサ（図示せず）に供給される。その結果は、プロセッサに格納するか又はディスプレイ上に表示することができる。処理及び格納機能はＯＣＴ機器内に局在化される場合があるか、又は、収集データが転送される先の外部処理ユニット上で、機能が実施される場合がある。このユニットは、データ処理に専用であるか、又は、全く一般的でありかつＯＣＴデバイスに専用でない他のタスクを実施し得る。
【０００４】
しかしながら、日々の診断において、角膜等の患者の眼の前部セグメント内の構造をスキャンするためにＯＣＴシステムを使用することが望ましい場合がある。網膜スキャニング及び角膜スキャニングを共に任意選択で達成するためＯＣＴシステムを使用するために、従来技術において、図１に示すＯＣＴシステムの部分は、図２、３、及び４に示す設計を得るために変化する。
【０００５】
図２に示すように、図１のＯＣＴシステムの網膜スキャンレンズ４が、前部セグメントスキャンレンズ１０と置換されて、固定ビーム経路を変更することなくＯＣＴシステムを網膜スキャニングから前部セグメントスキャニング（角膜スキャニング等）に切換えることができる。図２に示すように網膜スキャンと前部セグメントスキャンの両方のために使用することができるＯＣＴシステムを実現するため、既存のＯＣＴシステムに更なる光学的−機械的モジュールを提供して、網膜スキャンレンズ４と前部セグメントスキャンレンズ１０を交換し、また、ＯＣＴシステムの光学系内で異なるレンズを精密に位置決めし、参照アームと試料アームの長さを調整し、それにより、対応する機能を達成する必要性が存在する。そのため、機器の複雑さ及びコストは、前部セグメントスキャニングの機能を達成するために大幅に増加する。こうしたＯＣＴシステムの例は、特許文献１に開示され、その開示は、その全体が述べられるかのように参照により本明細書に組込まれる。
【０００６】
更に図３に示すように、ＯＣＴビームを、網膜に合焦させることから角膜に合焦させることに変更するため、図１のＯＣＴシステムの接眼レンズ５の外部に前部セグメントスキャンレンズ１１を付加することが可能である。前部セグメントスキャンレンズ１１を付加するため、網膜に合焦された内部固定ビーム経路のビームは、同様に角膜に合焦されることになり、検査中の眼が、元の内部固定ターゲット９をもはや鮮明に観察できないようにさせる。この問題は、内部固定ビーム経路のビームを検査中の眼の網膜に再合焦させるよう、内部固定ビーム経路内で光学コンポーネント及び固定ターゲットのうちの少なくとも一方の位置を適合させることによって解決することができるため、検査中の眼は、前部セグメントスキャニング中、固定ターゲット９を明瞭に見ることができる。光学コンポーネント及び固定ターゲットのうちの少なくとも一方の位置の適合は、通常、モータによって行われる。図３の解決策は、前部セグメントスキャンレンズ１１を接眼レンズ５の外部に配置することによって、網膜スキャニング用の既存のＯＣＴシステムが、患者の角膜をスキャンすることを可能にするが、検査中の眼が、前部セグメントスキャン中に固定ターゲット９を明瞭に見ることを可能にするよう内部固定ビーム経路を調整する必要があるため、機器の複雑さ及びコストは依然として増加する。こうしたＯＣＴシステムの例は、特許文献２に開示され、その開示は、その全体が述べられるかのように参照により本明細書に組込まれる。
【０００７】
更に、図４に示すように、外部固定ターゲットを使用することができる。前部セグメントスキャン中、患者は、ＯＣＴシステムによって検査中でない第２の眼１３で、外部固定ターゲット１２上を見ている。人間の両方の眼が同じ観察方向を共有しているため、検査中の眼６の観察方向は、第２の眼１３の観察方向を規定することによって規定することができる。しかし、図４に示す解決策は、１つだけの機能する（見る）眼を有する患者の場合、うまく働かない。こうした外部固定ターゲット及び関連する処置方法の例は、非特許文献１に開示される。
【先行技術文献】
【特許文献】
【０００８】
【特許文献１】米国特許出願公開第２００７／０２９１２７７号
【特許文献２】米国特許出願公開第２０１２／０１４０１７６号
【非特許文献】
【０００９】
【非特許文献１】“SPECTRALIS Anterior Segment Module”、インターネット＜http://www.heidelbergengineering.com/international/wp-content/uploads/2012/03/SPECTRALIS-ASM_How-to-acquire-perfect-image_EN_web.pdf＞
【発明の概要】
【課題を解決するための手段】
【００１０】
先の問題を解決するため、本発明は、ＯＣＴシステムを提供し、ＯＣＴシステムは、網膜スキャニング用のＯＣＴスキャンモジュール及びアドオン前部セグメントスキャンモジュールを備え、前部セグメントスキャンモジュールは、ＯＣＴシステムを網膜スキャン機能から前部セグメントスキャン機能に切換えるように網膜スキャニング用のＯＣＴスキャンモジュールの外部に取付けられており、アドオン前部セグメントスキャンモジュールは、検査中の眼の網膜にＯＣＴスキャンビームを合焦させる少なくとも１つの前部セグメントスキャンレンズと、前部セグメントスキャンを実施しながら、眼の観察方向を維持するアドオン固定ターゲットとを備える。
【００１１】
好ましい一実施形態において、アドオンモジュールは、網膜スキャニング用のＯＣＴスキャンモジュールの外部に直接取付けることができる独立型分離可能モジュールである。
好ましい一実施形態において、前部セグメントスキャンレンズとアドオン固定ターゲットとの間の距離は調整可能である。好ましくは、前部セグメントスキャンレンズとアドオン固定ターゲットとの間の距離の調整は、電気的に又は手作業で行うことができる。
【００１２】
好ましい一実施形態において、前部セグメントスキャンレンズは少なくとも１つのシングレット又はダブレットを含む。
好ましい一実施形態において、前部セグメントスキャンレンズは２つの独立したシングレットを含む。
【００１３】
好ましい一実施形態において、アドオン固定ターゲットの横（すなわち、水平及び垂直）位置は調整可能である。好ましくは、アドオン固定ターゲットの横（すなわち、水平及び垂直）位置の調整は、電気的に又は手作業で行うことができる。
【００１４】
好ましい一実施形態において、アドオン固定ターゲットは、ＯＣＴスキャニングビーム経路内に配置される。好ましくは、アドオン固定ターゲットは、ＯＣＴスキャンビームが通過することを可能にする透明中心エリアを有する。
【００１５】
好ましい一実施形態において、アドオン前部セグメントスキャンモジュールはビームスプリッタを更に含み、アドオン固定ターゲットは、ＯＣＴスキャンビーム経路の外側に配置され、ビームスプリッタを介してＯＣＴスキャンビーム経路に結合される。好ましくは、アドオン固定ターゲットの中心エリアは更なる複数のパターンを有する。好ましくは、ビームスプリッタは、ビームスプリッタキューブ又はビームスプリッタプレートである。
【００１６】
好ましい一実施形態において、アドオン固定ターゲットは、透明基材上に配置される。
好ましい一実施形態において、アドオン固定ターゲットは、検査中の眼にアドオン固定ターゲットが見えるように光源によって照明される。
【００１７】
好ましい一実施形態において、アドオン固定ターゲットは、検査中の眼にアドオン固定ターゲットが見えるように何らかの方法で照明される。好ましくは、アドオン固定ターゲットは、蛍光塗料によって基材上に配置される。
【００１８】
好ましい一実施形態において、アドオン固定ターゲットは、平坦表面、湾曲表面、又は非球面表面上に配置される。
従来技術と比較すると、本発明のＯＣＴシステムは、アドオン前部セグメントスキャンモジュールが、網膜スキャニング用の既存のＯＣＴシステムの外部に取付けられ、アドオン固定ターゲットを有するため、既存のＯＣＴシステムの内部ビーム経路及び関連する構造を調整または変更することなく、前部セグメントスキャニングを実施しながら、検査中の眼の観察方向を維持することが可能であるため有利である。これは、従来のアプローチに比べて複雑でなくかつ費用効果的であり、本発明のＯＣＴシステムは１つだけの機能する眼を有する患者に適合可能である。
【図面の簡単な説明】
【００１９】
【図１】網膜スキャニング用の従来技術のＯＣＴシステムの略図である。
【図２】網膜スキャニング用の従来技術の変更されたＯＣＴシステムを概略的に示す図である。
【図３】網膜スキャニング用の従来技術の別の変更されたＯＣＴシステムを概略的に示す図である。
【図４】検査中の眼の観察方向を規定するため従来技術で使用される外部固定ターゲットを概略的に示す図である。
【図５】網膜スキャニング及び前部セグメントスキャニング用の本発明の一実施形態のＯＣＴシステムの略図である。
【図６】本発明による網膜スキャニング及び前部セグメントスキャニング用の幾つかの変更されたＯＣＴシステムを概略的に示す図である。
【図７】網膜スキャニング及び前部セグメントスキャニング用の本発明の一実施形態のＯＣＴシステムの固定ターゲットの略図である。
【図８】網膜スキャニング及び前部セグメントスキャニング用の本発明の別の実施形態のＯＣＴシステムの略図である。
【図９】固定ターゲットが眼科医の指によって置換される図８のＯＣＴシステムの略図である。
【図１０】網膜スキャニング及び前部セグメントスキャニング用の本発明の別の実施形態のＯＣＴシステムの固定ターゲットの略図である。
【発明を実施するための形態】
【００２０】
以下は、図面を参照した本発明のＯＣＴシステムの説明である。詳細な説明は、本発明を完全に理解するために提供される。それでも、本発明が詳細のうちの幾つかの詳細がない状態で達成可能であることが当業者には明らかである。更に、示した特別な実施形態に本発明が限定されないことが理解されるものとする。逆に、以下の特徴及び要素が組合されて、特徴及び要素が異なる実施形態に関連するかどうかによらず、本発明を実施することができる。したがって、以下の態様、特徴、実施形態、及び利点は、説明として解釈されるだけであるものとするが、特許請求の範囲において明示的に指摘されない限り、特許請求の範囲の制限と考えられないものとする。詳細な説明は、網膜スキャニングＯＣＴシステムを前部スキャニングＯＣＴシステムに変換することに的を絞るが、そのアイデアは、前部スキャニングＯＣＴシステムを網膜スキャニングシステムに変換する逆の状況にも適用されることになる。
【００２１】
図５は、前部セグメントスキャニング用のサブシステムを有する、網膜スキャニング用のＯＣＴスキャンモジュールを有する本発明の一実施形態を示す。網膜スキャニング用のＯＣＴスキャンモジュールの従来の光学要素以外に、図５に示すＯＣＴシステムは、アドオン前部セグメントスキャンモジュール（こうしたモジュールの３つの異なる例が図５に示される）を備え、アドオン前部セグメントスキャンモジュールは、接眼レンズ５の外部に取付けられて、網膜スキャニングから前部セグメントスキャニングに切換えることができる。好ましくは、スキャニングが前部セグメントスキャニングに切換えられた後、網膜スキャニング用のＯＣＴシステム内の現行の内部固定ターゲットが、検査中の眼に見えなくなることを可能にすること（例えば、内部固定ターゲットを照明することを停止すること）が可能である。アドオン前部セグメントスキャンモジュールは、前部セグメントスキャンレンズ１１を含み、前部セグメントスキャンレンズ１１は、ＯＣＴビームを、網膜に合焦されることから検査中の眼の角膜等の前部セグメント内の構造に合焦させることに変更するために使用される。モジュールはまた、固定ターゲット１５を含み、固定ターゲット１５は、前部セグメントスキャンを実施しながら、検査中の眼の観察方向を維持するために使用される。固定ターゲット１５は、特別なパターンを有するレチクルとすることができる。図５の実線ビーム経路は、ＯＣＴスキャンビームが検査中の眼の角膜等の前部セグメントに合焦されて、角膜をスキャンするＯＣＴスキャンビーム経路を示す。図５の破線ビーム経路は、固定ターゲット１５が前部スキャンレンズ１１を介して検査中の眼の網膜に合焦されて、画像を形成する固定ビーム経路を示す。こうした方法で、検査中の眼に、固定ターゲット１５によって規定される方向を注視させ続けて、ＯＣＴスキャンビームを眼の角膜等の前部セグメントに合焦させ、角膜をスキャンすることが可能である。
【００２２】
固定ターゲット１５を患者に見えるようにする種々の手段を使用することができる。例えば、光源（例えば、ＬＥＤ、ライトバルブ、ディスプレイ）が、固定ターゲット１５を照明するために使用可能であるか、又は、固定ターゲット１５が患者に見えるように固定ターゲット１５として直接使用可能である。窓をモジュール内に設けて、外部光が窓を通して固体ターゲット１５を照明することができる。同様に、固定ターゲット１５は、蛍光塗料で基材（例えば、レチクル）上に描画又は印刷されて、一時的に照明された後に、固定ターゲット１５にそれ自身で照明させることができる。
【００２３】
固定ターゲットは、種々の手段、例えば、ガラス、結晶、又はプラスチック材料上に描画された固定ターゲットパターン、或は、ディスプレイによって直接示される固定ターゲットによって達成することができるか、或は、照明式固定ターゲットとすることができる。固定ターゲットパターンを直接生成するためディスプレイが使用される場合、ディスプレイは、図８に示す固定ターゲット位置に設置することができ、ディスプレイによって放出される光は、ビームスプリッタを介してＯＣＴスキャンビーム経路に結合される。この場合、固定ターゲットの横（すなわち、水平及び垂直）移動は、固定ターゲットの横移動を実現する機械的構造なしで、電気的ディスプレイ上で固定ターゲットのディスプレイ位置を変更することによって達成することができる。
【００２４】
任意選択で、固定ターゲット１５と前部セグメントスキャンレンズ１１との間の距離が調整可能であり、固定ターゲット１５の横（すなわち、水平及び垂直）位置が同様に調整可能である。特に、図５の列Ａは、正常な眼についての前部セグメントスキャニングを示し、固定ターゲット１５と前部セグメントスキャンレンズ１１との間の距離及び固定ターゲット１５の横位置は標準的な状態にある。図５の列Ｂにおいて、前部セグメントスキャンレンズ１１と固定ターゲット１５との間の距離は、検査中の眼の屈折誤差を補償するように調整される。具体的には、固定ターゲットは、電気的に又は手作業で軸方向に移動可能である。図５の列Ｃにおいて、固定ターゲット１５の横（すなわち、水平及び垂直）位置は、検査中の眼の観察方向を調節するために調整される。具体的には、固定ターゲットの横（すなわち、水平及び垂直）位置は電気的に又は手作業で変更可能である。
【００２５】
本発明における網膜スキャニング及び前部セグメントスキャニング用のＯＣＴシステムのアドオン前部セグメントスキャンモジュールの前部セグメントスキャンレンズは種々の種類のレンズを含むことができる。更に、固定ターゲット１５は、必要に応じて、平坦表面、湾曲表面、又は非球面表面上に配置可能である。図６は、本出願の前部セグメントスキャニング用のＯＣＴサブシステムの幾つかの変形を示す。具体的には、例えば、図６の列Ａで示すように、前部セグメントスキャンレンズ１１はシングレット（ｓｉｎｇｌｅｔ）を含む場合がある。例えば、図６の列Ｂに示すように、前部セグメントスキャンレンズ１１はダブレット（ｄｏｕｂｌｅｔ）を含む場合がある。例えば、図６の列Ｃに示すように、前部セグメントスキャンレンズ１１は２つの個々のシングレットからなるレンズグループを含む場合がある。例えば、固定ターゲット１５は、図６の列Ｄに示すように湾曲表面上に配置される場合がある。
【００２６】
本発明の固体ターゲット１５は種々のパターンを備えることができる。図７は、図５及び６に示す固定ターゲットによって採用可能なパターンを示す。固定ターゲットパターンは、透明中心エリアの周囲にわたって均等に分配された複数の（例えば、８つの）放射状線である。透明中心エリアは、ＯＣＴスキャンビームの非遮断通過を保証する。透明中心エリアは、透明基材又は基材内に配設されたアパーチャによって実現可能である。図７の固定ターゲットパターンが非透明基材における中心穿孔によって実現されるとき、固定ターゲットは、前部セグメントからの所望の後方散乱光を大幅に遮断することになる。遮断は、透明基材を使用することによって回避可能である。
【００２７】
図８は、本発明の網膜スキャニング用のＯＣＴシステム及び前部セグメントスキャニングサブモジュールの別の実施形態の略図を示す。図５と違って、図８の固定ターゲットの画像はビームスプリッタ１６を介してＯＣＴスキャンビーム経路に結合され、ビームスプリッタ１６は、ビームスプリッタキューブ、ビームスプリッタプレート、又はビームスプリッタペリクルとすることができる。この場合、固定ターゲット１５は、アドオン前部セグメントスキャンモジュールに対して一体である場合があるか、又は、外部に設けられる場合がある。固定ターゲット１５が外部に設けられる場合、固定ターゲットは、例えば、オペレータが見るために手を上げることによって供給されるか、又は、第２の例として、第２の眼（検査中でない眼）の固定のために外部固定ターゲットを最初に設置し、ビームスプリッタ１６を介して第１の眼（検査中の眼）のために固定ビューを設けることによる等、機器の一部分によって供給される場合がある。こうした構成では、眼科医の指が、同様に設置され、固定ターゲットとして働くであろう。こうした方法で、患者の眼は、図９に示すように、必要である場合、眼科医の指の動きに追従するであろう。
【００２８】
図１０は、図８の固定ターゲットによって使用可能な考えられるパターンを示す。図１０の固定ターゲットの中心エリアは、中実ドット等の更なるパターンを有することができる。もちろん、図８の固定ターゲットは、中心エリアにおいて更なるパターンを持たない固定ターゲットパターンを採用することができる。
【００２９】
本出願で述べた網膜スキャニング及び前部セグメントスキャニング用のＯＣＴシステムにおいて、ＯＣＴシステムの内部ビーム経路を調整または変更することなく、前部セグメントスキャニングを実施し、同時に、観察方向を維持するため、検査中の眼に対して注視固定用のターゲットを提供することが可能であり、したがって、生産コストが、本発明のＯＣＴシステムに従って節約され、ＯＣＴシステムが、同様に、１つだけの機能する眼を有する患者にうまく適合することになる。
【００３０】
本発明は、先の好ましい実施形態と共に開示される。しかし、本発明はこれらの実施形態に限定されない。本発明の技術思想及び原理から逸脱することなく当業者によって行われる任意の変形及び修正は、本発明の保護範囲内に包含される。したがって、本発明の保護範囲は添付特許請求の範囲によって規定されるものとする。
【図１】
0006318249.tif 000002
【図２】
0006318249.tif 000003
【図３】
0006318249.tif 000004
【図４】
0006318249.tif 000005
【図５】
0006318249.tif 000006
【図６Ａ】
0006318249.tif 000007
【図６Ｂ】
0006318249.tif 000008
【図６Ｃ】
0006318249.tif 000009
【図６Ｄ】
0006318249.tif 000010
【図７】
0006318249.tif 000011
【図８】
0006318249.tif 000012
【図９】
0006318249.tif 000013
【図１０】
0006318249.tif 000014